(57)【要約】      （修正有）【課題】画像形成装置の開口部を利用して運搬用の把手部材を設けることを可能とした画像形成装置用の運搬装置及びこれを用いた画像形成装置を提供する。【解決手段】画像形成装置本体１の一側面に設けられた着脱用の開口部３を介して、前記画像形成装置本体に着脱自在に装着される記録媒体収容容器を取り外した状態で、前記着脱用の開口部３を介して前記画像形成装置本体に着脱自在に装着され、前記画像形成装置本体を運搬する際に作業者が手を掛ける把手部材１０を備えるように構成した。【選択図】図１
2010078901.tif 000002
【特許請求の範囲】
【請求項１】
画像形成装置本体の一側面に設けられた着脱用の開口部を介して、前記画像形成装置本体に着脱自在に装着される記録媒体収容容器を取り外した状態で、前記着脱用の開口部を介して前記画像形成装置本体に着脱自在に装着され、前記画像形成装置本体を運搬する際に作業者が手を掛ける把手部材を備えたことを特徴とする画像形成装置用の運搬装置。
【請求項２】
前記把手部材は、不使用時、前記記録媒体収容容器に収容されることを特徴とする請求項１に記載の画像形成装置用の運搬装置。
【請求項３】
前記把手部材は、前記着脱用の開口部内に挿入した後、前記記録媒体収容容器の着脱方向と交差する方向に移動させることにより、前記着脱用の開口部の天井面に固定した状態で装着されることを特徴とする請求項１又は２に記載の画像形成装置用の運搬装置。
【請求項４】
前記把手部材は、前記記録媒体収容容器を前記画像形成装置本体の内部に案内する案内部に沿って移動するための摺動部を備え、前記摺動部の挿入方向奥側の上端部に、前記着脱用の開口部の天井面に固定される固定用突起を備えていることを特徴とする請求項１又は２に記載の画像形成装置用の運搬装置。
【請求項５】
画像形成装置本体と、
前記画像形成装置本体の一側面に設けられた着脱用の開口部を介して、前記画像形成装置本体に着脱自在に装着される記録媒体収容容器と、
前記記録媒体収容容器を取り外した状態で、前記着脱用の開口部を介して前記画像形成装置本体に着脱自在に装着され、前記画像形成装置本体を運搬する際に作業者が手を掛ける把手部材を備えたことを特徴とする画像形成装置。
【発明の詳細な説明】
【技術分野】
【０００１】
この発明は、画像形成装置用の運搬装置及びこれを用いた画像形成装置に関するものである。
【背景技術】
【０００２】
【特許文献１】特開平０５−０４５９４４号公報
【特許文献２】特開平０８−０４４２７２号公報
【特許文献３】特開平０８−１９０３３２号公報
【特許文献４】特開平１０−２３５９６８号公報
【特許文献５】特開２０００−１０３１３７号公報
【０００３】
従来、この種の画像形成装置用の運搬装置に関する技術としては、例えば、特開平０５−０４５９４４号公報、特開平０８−０４４２７２号公報、特開平０８−１９０３３２号公報、特開平１０−２３５９６８号公報及び特開２０００−１０３１３７号公報等に開示されたものが既に提案されている。
【０００４】
上記特開平０５−０４５９４４号公報に係る画像形成装置は、本体が、その幅、奥行き、および高さのいずれの寸法よりも短い高さの分割体を上下分割可能に接続してなり、各分割体には、その高さ方向の辺が水平となる姿勢にして持ち運ぶための把手を設けるように構成したものである。
【０００５】
また、上記特開平０８−０４４２７２号公報に係る画像形成装置は、画像形成装置本体に対して開閉自在に取り付けられた可動体を具備する画像形成装置において、画像形成装置本体内に収納可能で、且つ、画像形成装置本体外に引き出し可能に画像形成装置本体に支持された運搬用把手を設けると共に、運搬用把手を引き出したとき、前記可動体が画像形成装置本体外に突出不能となるように、該可動体をロックし、運搬用把手を画像形成装置本体内に収納したとき、そのロック状態を解除するロック手段を設けるように構成したものである。
【０００６】
さらに、上記特開平０８−１９０３３２号公報に係る画像形成装置は、運搬用の把手を有する画像形成装置において、画像形成装置の筐体の側壁に設けた進退用穴から筐体の内外へ進退可能に支持され且つ運搬時に引き出し可能な把手と、上記把手と一体の締結手段とを有し、上記把手を筐体内に収納した時に画像形成装置の下方に位置する設置体面に該締結手段が締結するように構成したものである。
【０００７】
又、上記特開平１０−２３５９６８号公報に係る画像形成装置は、装置本体が直方体形状をなす画像形成装置において、前記装置本体の長手方向中間位置を通る中心面と、前記装置本体の重心位置を通りその中心面と平行な重心面との間に位置して前記装置本体の長手側面に、該装置本体を持ち上げるときの把手を形成してなるように構成したものである。
【０００８】
更に、上記特開２０００−１０３１３７号公報に係る画像形成装置は、用紙収納部の上に画像形成部を設けて装置本体を構成し、前記用紙収納部内に給紙トレイを前記装置本体の前後方向に出し入れ自在に備え、その給紙トレイから用紙を繰り出し、その用紙に前記画像形成部により画像を形成する画像形成装置において、前記用紙収納部と前記画像形成部との間に運搬用の把手を設け、その把手を前記装置本体の前後方向に引き出し・収納自在としてなるものである。
【発明の開示】
【発明が解決しようとする課題】
【０００９】
ところで、この発明が解決しようとする課題は、画像形成装置の開口部を利用して運搬用の把手部材を設けることを可能とした画像形成装置用の運搬装置及びこれを用いた画像形成装置を提供することにある。
【課題を解決するための手段】
【００１０】
すなわち、請求項１に記載された発明は、画像形成装置本体の一側面に設けられた着脱用の開口部を介して、前記画像形成装置本体に着脱自在に装着される記録媒体収容容器を取り外した状態で、前記着脱用の開口部を介して前記画像形成装置本体に着脱自在に装着され、前記画像形成装置本体を運搬する際に作業者が手を掛ける把手部材を備えたことを特徴とする画像形成装置用の運搬装置である。
【００１１】
また、請求項２に記載された発明は、前記把手部材は、不使用時、前記記録媒体収容容器に収容されることを特徴とする請求項１に記載の画像形成装置用の運搬装置である。
【００１２】
さらに、請求項３に記載された発明は、前記把手部材は、前記着脱用の開口部内に挿入した後、前記記録媒体収容容器の着脱方向と交差する方向に移動させることにより、前記着脱用の開口部の天井面に固定した状態で装着されることを特徴とする請求項１又は２に記載の画像形成装置用の運搬装置である。
【００１３】
又、請求項４に記載された発明は、前記把手部材は、前記記録媒体収容容器を前記画像形成装置本体の内部に案内する案内部に沿って移動するための摺動部を備え、前記摺動部の挿入方向奥側の上端部に、前記着脱用の開口部の天井面に固定される固定用突起を備えていることを特徴とする請求項１又は２に記載の画像形成装置用の運搬装置である。
【００１４】
更に、請求項５に記載された発明は、画像形成装置本体と、
前記画像形成装置本体の一側面に設けられた着脱用の開口部を介して、前記画像形成装置本体に着脱自在に装着される記録媒体収容容器と、
前記記録媒体収容容器を取り外した状態で、前記着脱用の開口部を介して前記画像形成装置本体に着脱自在に装着され、前記画像形成装置本体を運搬する際に作業者が手を掛ける把手部材を備えたことを特徴とする画像形成装置である。
【発明の効果】
【００１５】
請求項１に記載された発明によれば、画像形成装置の開口部を利用して運搬用の把手部材を設けることができる。
【００１６】
また、請求項２に記載された発明によれば、把手部材を紛失する虞れがなく、しかも把手部材が外部に露出することがないので、外観上優れている。
【００１７】
さらに、請求項３に記載された発明によれば、画像形成装置を運搬する際に、把手部材が不本位に外れるのを防止することができる。
【００１８】
又、請求項４に記載された発明によれば、画像形成装置本体の重量が大きい場合であっても、把手部材を開口部の奥側に挿入した状態で固定することができ、把手部材を画像形成装置本体に確実に固定することが可能となる。
【００１９】
更に、請求項５に記載された発明によれば、画像形成装置の開口部を利用して運搬用の把手部材を設けることができ、容易に運搬可能となる。
【発明を実施するための最良の形態】
【００２０】
以下に、この発明の実施の形態について図面を参照して説明する。
【００２１】
実施の形態１
図２はこの発明の実施の形態１に係る画像形成装置用の運搬装置を適用した画像形成装置としてのプリンターを示す外観斜視図である。
【００２２】
このプリンターの本体１は、図２に示すように、略直方体形状に形成されており、当該プリンター本体１の一側面（図示例では、正面）には、当該プリンターで画像を形成する記録媒体としての記録用紙を収容する記録媒体収容容器としての給紙カセット２が着脱自在に装着されている。上記給紙カセット２は、プリンター本体１正面の下端部に設けられた着脱用の開口部３を介して、プリンター本体１の正面側に引き出すことによって着脱自在となっている。
【００２３】
また、上記プリンター本体１には、その正面を除いた背面及び両側面の下端部に、当該プリンター本体１を運搬する際に、作業者がプリンター本体１を持ち上げるために手を掛ける把手部が設けられている。なお、上記把手部９は、プリンター本体１の背面及び両側面のすべてに必ずしも設ける必要はなく、例えば、プリンター本体１の背面にのみ設けられていても良い。
【００２４】
さらに、上記プリンターは、給紙カセット２の内部に収容され、当該給紙カセット２から予め定められたタイミングで図示しない記録用紙を給送して、プリンター本体１の内部に設けられた図示しない画像形成部によって、モノクロ又はフルカラーのトナー画像を形成し、このトナー画像を記録用紙上に転写・定着した後に、排出口４からプリンター本体１の上面に設けられた排紙トレイ５上に排出することにより、画像のプリントを行うものである。
【００２５】
また、上記プリンター本体１の正面には、給紙カセット２の上部に、プリンター本体１の内部に詰まった記録用紙を除去したりするための開閉カバー６が設けられており、記録用紙の紙詰まり時などに、開閉カバー６の上端部に設けられた把手７に手を掛けて、開閉カバーの下端部を支点として手前側に開くことにより、プリンター本体１内の図示しない用紙搬送路を露出させ、紙詰まりした記録用紙を除去するように構成されている。
【００２６】
なお、上記プリンター本体１は、設置場所の省スペース化等に対応するために小型化されており、給紙カセット２の前面に設けられ、当該給紙カセット２を着脱するための前面パネル８と、開閉カバー６との間に殆ど隙間がなく、しかも給紙カセット２の前面パネル８は、給紙カセット２を着脱するためのものであって、この前面パネル８に手を掛けてプリンター本体１の全重量を支えることはできない。
【００２７】
そこで、この実施の形態では、プリンターを移動させる場合など、プリンター本体１の給紙カセット２を着脱する側面（図示例では正面）に、作業者が手を掛けてプリンター本体１を持ち上げる必要がある場合など、次のようにして、把手部材をプリンター本体１に装着して運搬するように構成されている。
【００２８】
この実施の形態では、図１に示すように、プリンターを運搬する際に、プリンター本体１に作業者が手を掛けるための把手部材１０を、プリンター本体１とは別の部材として備えている。この把手部材１０は、図３に示すように、硬質の合成樹脂や金属等からなり、側面略Ｌ字形状に形成された板状部材からなるものである。
【００２９】
上記把手部材１０は、図３及び図４に示すように、予め定められた長さに形成された第１板部１１と、当該第１板部の手前側（給紙カセット着脱方向に沿った手前側）に上方へ向けて折り曲げた状態で一体的に設けられた第２板部１２とから構成されている。また、上記把手部材１０には、図４に示すように、第１板部１１の下面と、第２板部１２の外側面に、滑り止め用の凸条１３、１４が複数本横方向に沿って設けられている。さらに、上記把手部材１０には、第１板部１１の上面手前側から第２板部１２の内側面上部に渡って、プリンター本体１の開閉カバー６の下端部に当接する当接部１５が予め定められた厚さで設けられている。
【００３０】
また、上記把手部材１０には、図４及び図５に示すように、当該把手部材をプリンター本体１の着脱用開口部３内の天井面に着脱自在に取り付けるための取付部材１６が、第１板部１１の上面に上向きに突出するように設けられている。上記取付部材１６としては、図４に示すように、把手部材１０の第１板部１１の四隅近傍に設けれた金属や合成樹脂等からなる円柱形状の短い軸部材が用いられている。この取付部材としての軸部材１６は、予め定められた外径を有する円柱形状の部材であり、軸方向の中間部であって、上方寄りの位置には、直径が小さくなるように切り欠いた細径部１７が、予め定められた長さにわたって設けられている。
【００３１】
一方、上記把手部材１０が取り付けられるプリンター本体１の着脱用開口部３内の天井面３ａには、図６及び図７に示すように、当該天井面３ａを形成するプリンター本体１の板金フレーム１８に、把手部材１０の軸部材１６に対応した４箇所の位置に、軸部材１６が挿入される挿入孔２０がそれぞれ開口されている。これら４つの挿入孔２０は、軸部材１６の外径よりも若干大きな直径を有する円弧状の孔からなる挿入部２１と、当該挿入部２１の一方向、図示例では給紙カセット２の着脱方向と交差する一方向に予め定められた長さに渡って設けられ、軸部材１６の細径部１７よりも若干大きな幅を有する通路部２２と、当該通路部２２の幅が軸部材１６の細径部１７の外径よりも若干小さな間隔となるように狭めた狭通路部２３と、当該狭通路部２３の先端に設けられ、軸部材１６の細径部１７と略等しい外径を有する固定部２４とを有するように構成されている。
【００３２】
尚、図６中、２５は給紙カセット２から記録用紙を給紙する給紙ロールを、２６は用紙搬送路をそれぞれ示している。
【００３３】
また、上記把手部材１０は、図８に示すように、不使用時、給紙カセット２に設けれた収容用凹所２７に収容されており、把手部材１０を使用しないときに、紛失したりするのを防止可能となっている。
【００３４】
以上の構成において、この実施の形態に係る画像形成装置用の運搬装置を適用したプリンターは、次のようにして、小型の画像形成装置に対応しつつ、当該画像形成装置を運搬する際に、画像形成装置本体の記録媒体収容容器が設けられた側面に対しても、運搬用の把手部材を設けることが可能となっている。
【００３５】
すなわち、上記プリンターでは、図８に示すように、当該プリンターを移動させる場合など、給紙カセット２をプリンター本体１から引き出して取り外すとともに、図９に示すように、当該給紙カセット２の内部に収容された把手部材１０を取り出す。そして、上記プリンターでは、図１に示すように、取り出された把手部材１０を、プリンター本体１の着脱用開口部３を介して、当該着脱用開口部３の天井面３ａに装着する。この把手部材１０の装着は、図１０及び図１１に示すように、当該把手部材１０の第１板部１１に設けられた軸部材１６の位置を、プリンター本体１の着脱用開口部３の天井面に設けられた挿入孔２０に合わせた状態で、図１１（ａ）に示すように、軸部材１６を挿入孔２０の挿入部２１に挿入するとともに、図１１（ｂ）に示すように、把手部材１０を給紙カセット２の着脱方向Ａと交差するＢ方向にスライドさせるように移動させ、軸部材１６の細径部１７を狭通路部２３を通過させた後、固定部２４に嵌め合わされた状態で固定することによって行われる。
【００３６】
こうすることによって、上記把手部材１０は、図１及び図１０に示すように、着脱用開口部３を介して、プリンター本体１の板金フレーム１８に確実に固定される。その際、上記把手部材１０の内面に設けられた当接部材１５が、プリンター本体１の開閉カバー６の下端部に当接し、当該把手部材１０の荷重が開閉カバー６に平均化されて作用するため、開閉カバー６を損傷する虞れもない。
【００３７】
そして、作業者は、図１に示すように、プリンター本体１の前面に装着された把手部材１０と、当該プリンター本体１の背面に予め設けられた図示しない把手部とにそれぞれ手を掛け、プリンター本体１を持ち上げることによって運搬するようになっている。
【００３８】
なお、上記プリンター本体１の両側面に図示しない把手部が設けられている場合であっても、プリンター本体１の両側面には、他の機器が置かれていて、これらの機器を移動させなければ、プリンター本体１の両側面に設けられた把手部に作業者が手を掛けることができない場合がある。
【００３９】
この実施の形態に係るプリンターでは、このような場合であっても、プリンター本体１の前面は、給紙カセット２を着脱する面であるため、通常、開放されており、プリンター本体１の背面側も壁面との間に通常隙間が設けられているため、作業者が手を入れることが可能であり、このような場合に特に有効である。
【００４０】
実施の形態２
図１２及び図１３はこの発明の実施の形態２を示すものであり、前記実施の形態１と同一の部分には同一の符号を付して説明すると、この実施の形態２では、把手部材の形状が前記実施の形態１と異なるように構成されている。
【００４１】
すなわち、この実施の形態２では、図１２に示すように、把手部材１０が給紙カセット２と略等しい幅を有する形状に形成されており、当該把手部材１０の幅方向に沿った両端部には、プリンター本体１に装着する際に、把手部材１０を案内する案内板３０が下向きに折り曲げた状態で設けられている。
【００４２】
また、上記把手部材１０の上端面３１は、給紙カセット２の着脱方向に沿って予め定められた長さを有する矩形状に形成されており、当該上端面３１には、その手前側の端部と、奥側の端部に、プリンター本体１の板金フレーム１８に設けられた係止用の孔に係止される爪部がそれぞれ設けられている。なお、これらの爪部は、一方のみ設けても良い。
【００４３】
このように構成することにより、プリンター本体１が大型のものであって、当該プリンター本体１の重量が大きい場合であっても、把手部材１０を着脱用の開口部３の奥側に挿入した状態で固定することができ、把手部材１をプリンター本体１に確実に固定することが可能となる。
【００４４】
その他の構成及び作用は、前記実施の形態１と同様であるので、その説明を省略する。
【図面の簡単な説明】
【００４５】
【図１】この発明の実施の形態１に係る画像形成装置としてのプリンターの運搬状態を示す外観斜視図である。
【図２】この発明の実施の形態１に係る画像形成装置としてのプリンターを示す外観斜視図である。
【図３】把手部材を示す斜視図である。
【図４】把手部材を示す断面図である。
【図５】把手部材を示す平面図である
【図６】プリンターの要部を示す断面構成図である。
【図７】プリンターの要部を示す構成図である。
【図８】プリンターの給紙カセットを引き出した状態を示す外観斜視図である。
【図９】プリンターの把手部材を装着する状態を示す外観斜視図である。
【図１０】把手部材の取付状態を示す断面図である。
【図１１】把手部材の取付状態を示す構成図である。
【図１２】この発明の実施の形態２に係る画像形成装置としてのプリンターを示す概略斜視図である。
【図１３】把手部材の装着状態を示す概略斜視図である。
【符号の説明】
【００４６】
１：プリンター本体、２：給紙カセット、３：着脱用の開口部、１０：把手部材。
【図１】
2010078901.tif 000003
【図２】
2010078901.tif 000004
【図３】
2010078901.tif 000005
【図４】
2010078901.tif 000006
【図５】
2010078901.tif 000007
【図６】
2010078901.tif 000008
【図７】
2010078901.tif 000009
【図８】
2010078901.tif 000010
【図９】
2010078901.tif 000011
【図１０】
2010078901.tif 000012
【図１１】
2010078901.tif 000013
【図１２】
2010078901.tif 000014
【図１３】
2010078901.tif 000015